(57)【要約】  【課題】工具係合凹部の形状を工夫することにより、専用の回転工具を用いない限り、パネル押さえをその取外し方向へ回転操作できないようにする。  【解決手段】基準床面１から上方へ伸びる支持脚部１２にパネル受け１３が螺合され、パネル受け１３の上方から支持脚部１２に螺合されたロックナット１４によってパネル受け１３が所望高さ位置でロックされる。フロアパネル２の角隅部が、パネル受け１３上に支承されると共に、支持脚部１２あるいはロックナット１４に螺合されるパネル押さえ２０によって上方から押圧される。パネル押さえ２０のフランジ部２１の上面には、工具係合凹部２５がその周方向略等間隔に複数形成される。工具係合凹部２５の形状は、例えば略球面状とされる。専用の転工具３０は、その下面に、工具係合凹部２５の形状に対応した略球面状の突起部４０をその周方向略等間隔に複数有する。工具係合凹部２５および突起部４０の個数は、好ましくはそれぞれ３個とされる。【選択図】  図３
2005344398.tif 000002
【特許請求の範囲】
【請求項１】
基準床面上に設置した支承部材が、パネル受けと取付ねじ部とを有し、
前記パネル受け上にフロアパネルを載置した状態で、前記フロアパネルの上方から係合されるパネル押さえを取付ねじ部に対して螺合させることにより、該パネル受けとパネル押さえとによって前記フロアパネルを上下方向から挟持するようにしたフロアパネルの取付構造において、
前記パネル押さえの上面に、回転工具の突起部が係合される工具係合凹部が該パネル押さえの周方向略等間隔に複数形成され、
前記各工具係合凹部の内面形状のうち、該パネル押さえを前記取付ねじ部から緩める方向における特定内面形状が、該パネル押さえの上面に対して鈍角をなす傾斜面となるように形成されている、
ことを特徴とするフロアパネルの取付構造。
【請求項２】
請求項１において、
前記各工具係合凹部の形状が全体的に、略球面の一部を構成する略球面状に形成されている、ことを特徴とするフロアパネルの取付構造。
【請求項３】
請求項１において、
前記工具係合凹部が、全体として３個形成されている、ことを特徴とするフロアパネルの取付構造。
【請求項４】
請求項１において、
前記各工具係合凹部の形状が全体的に、略球面の一部を構成する略球面状に形成されており、
前記工具係合凹部が、全体として３個形成されている、
ことを特徴とするフロアパネルの取付構造。
【請求項５】
請求項１ないし請求項４のいずれか１項において、
前記パネル押さえは、前記フロアパネルに対して上方から係合されるフランジ部と、該フランジ部から下方に伸びると共に前記取付ねじ部に螺合される雌ねじ部が形成された筒部とを有し、
前記パネル押さえは、前記フランジ部よりも下方部分が該フランジ部の最大外径よりも小径となるように設定されており、
前記フロアパネルは、その角隅部に切欠部が形成されると共に、該切欠部周辺の上面が前記パネル押さえのフランジ部の厚さとほぼ同一の深さを有する凹部となるように形成されており、
前記フロアパネルの前記切欠部に対して前記パネル押さえの前記筒部が挿通されると共に、該フロアパネルの前記凹部上に前記パネル押さえの前記フランジ部が位置される、
ことを特徴とするフロアパネルの取付構造。
【請求項６】
フランジ部と、
前記フランジ部から下方へ伸び、該フランジ部の最大径よりも小径となるように形成された筒部と、
前記筒部の内面に形成された雌ねじ部と、
前記フランジ部の上面にその周方向略等間隔に複数形成され、回転工具の突起部が係合される複数の工具係合凹部と、
を有し、
前記各工具係合凹部の形状が全体的に、略球面の一部を構成する略球面状に形成されている、
ことを特徴とするフロアパネル取付用パネル押さえ。
【請求項７】
請求項６において、
前記工具係合凹部が、全体として３個形成されている、ことを特徴とするフロアパネル取付用パネル押さえ。
【請求項８】
軸部と、
前記軸部の一端部側に形成され、該軸部の軸線回りに回転操作力を与えるための操作部と、
前記軸部の他端部側に形成され、該軸部の周方向略等間隔に形成された３個の突起部とを有し、
前記各突起部の形状が全体的に、略球面の一部を構成する略球面状に形成されている、
ことを特徴とするフロアパネル取付用パネル押さえのための回転工具。
【発明の詳細な説明】
【技術分野】
【０００１】
本発明は、フロアパネルの取付構造、フロアパネルを取付用パネル押さえおよびフロアパネル取付用パネル押さえのための回転工具に関するものである。
【背景技術】
【０００２】
ビル等の室の床面は、二重床構造とされることが多くなっている。すなわち、基準床面に設置された支承部材上にフロアパネルを設置することによって、フロアパネルを基準床面から所定高さだけ高くなるように配設して、このフロアパネルと基準床面との間に各種配線等を配設する空間を確保することが多くなっている。
【０００３】
上記支承部材は、基準床面上の所望高さ位置に設置されたパネル受けを有して、このパネル受け上に、例えば略正方形とされた所定規格の大きさとされたフロアパネルの角隅部が載置される。そして、フロアパネルのがたつき防止等のために、パネル押さえを上記支承部材の取付ねじ部に螺合して、フロアパネルの角隅部をパネル受けとパネル押さえとで上下方向から挟持することが行われている。
【０００４】
上記支承部材は、通常は、上記パネル受けの他に、基準床面に固定される基板と、基板から上方に伸びると共に外周に雄ねじ部が形成された支持脚部とをさらに有して、上記パネル受けが指示脚部に螺合されると共に、その螺合位置を変更することにより、フロアパネルの高さ位置の微調整が可能とされる。そして、パネル受けの上下方向位置の変動防止のために、別途支持脚部にロックナットを螺合することも行われている。支承部材における上記取付ねじ部は、例えば、上記支持脚部の雄ねじ部あるいは上記ロックナットの外周に形成された雄ねじ部によって構成される。
【０００５】
パネル押さえは、フロアパネルの角隅部を上方から押圧するためのフランジ部と、このフランジ部から下方に伸びる筒部とを有して、この筒部に、支承部材の取付ねじ部に螺合されるねじ部が構成される。パネル押さえは、上記筒部等のフランジ部よりも下方部分は、フランジ部の最大外径よりも小径とされて、フロアパネルの角隅部に形成された切欠部（によって囲まれる挿通用空間）に挿通されて、支承部材の取付ねじ部に螺合されることになる。そして、フロアパネルの切欠部の周囲には、上記フランジ部の厚さとほぼ同一深さとされた凹部が形成されて、取付完了時には、パネル押さえのフランジ部がフロアパネルの凹部上に位置（収納）されることになる。これにより、取付完了時には、フロアパネルの上面とパネル押さえの上面つまりそのフランジ部の上面とがほぼ面一とされる。
【０００６】
上記パネル押さえの上面には、回転工具が係合される工具係合凹部（工具係合穴）が形成されるのが通常である。すなわち、この工具係合凹部は、基本的に、パネル押さえを取付方向に回転させるための回転力付与のため必要となる。これに加えて、フロアパネル下方に配設された各種配線等の保守、点検等のために、パネル押さえを取外す方向に回転させるための回転力付与のためにも使用されることになる。
【０００７】
特許文献１には、パネル押さえ（におけるフランジ部）の上面に形成される工具係合凹部としての工具係合穴３４を、パネル押さえの軸線方向に略垂直に伸びると共に上方から見て略方形の角穴形状とし、このような形状の工具係合穴３４をパネル押さえの周方向略１８０度間隔で合計２個設けたものが開示されている。しかしながら、工具係合穴３４を略方形の角穴形状というように、工具の細い先端部が容易に係合可能で、かつ取外し方向への回転力を効果的に付与できるような構造にすると、いたずら等によってパネル押さえを取外されてしまうことも考えられ、防犯上等の見地から好ましくないことになる。すなわち、パネル押さえ回転用の専用の回転工具を用いなくても、容易に入手できる一般的な工具例えばラジオペンチ等の先端部を一対の工具係合凹部に係合させることによっても、パネル押さえを容易に取外せる（取外し方向への回転力を付与できる）ことになる。
【０００８】
パネル押さえが一般的な工具によっては容易には取外し方向に回転させることができないようにする工夫も提案されている。特許文献２には、パネル押さえのフランジ部に、ばね付勢されたピン９eを出没可能に設けて、専用の回転工具によってこのピン９eを下方へ所定量変位させた状態を維持しつつパネル押さえに回転力を付与しなければ、パネル押さえの回転を行えないようにすることが開示されている。しかしながら、特許文献２に記載のものでは、部品点数の増加や構造が複雑になってしまい、これに伴って大幅なコストアップにもなってしまう。
【０００９】
特許文献３には、合成樹脂製のパネル押さえの上面に形成される工具係合凹部としての工具係合孔２０を、一般的な六角レンチを利用できるように六角形状として、所定以上の取付方向の締め付け力が加わると、工具係合孔２０の内面の角部がつぶれ変形するものが開示されている。すなわち、パネル押さえの取付完了時に、所定以上の締め付け力を付与することによって工具係合孔２０を実質的に円形へとつぶれ変形させて、その後は、この工具係合孔２０を利用したパネル押さえの回転を不能にするものが提案されている。しかしながら、工具係合孔２０は、パネル押さえを一旦取付けた後は、その取外しを想定したものとはなっておらず、パネル押さえの取外しを可能にするには、別途取外し用の工具係合孔１８を設ける必要があり、構造が複雑となってしまう。また、取外し用の工具係合孔１８は、パネル押さえの軸線方向に略垂直に伸びる角穴形状とされており、ラジオペンチ等の一般的な工具を利用してもパネル押さえを取外し方向に回転させることが可能と考えれる構造となっており、防犯上必ずしも十分なものとはならない。
【特許文献１】特開２００１−２８８８７８号公報
【特許文献２】特開平０１−２７５８５２号公報
【特許文献３】実用新案登録第２５７７３２８号公報
【発明の開示】
【発明が解決しようとする課題】
【００１０】
本発明は以上のような事情を勘案してなされたもので、その第１の目的は、パネル押さえに形成される工具係合凹部の形状を工夫するという極めて簡単な構造によって、専用の回転工具を用いない限り、この工具係合凹部を利用してパネル押さえを取外し方向へは容易には回転させることのできないようにしたフロアパネルの取付構造を提供することにある。
本発明の第２の目的は、上記フロアパネル取付構造に用いるフロアパネル取付用パネル押さえを提供することにある。
本発明の第３の目的は、上記第１の目的、第２の目的のために用いられるパネル押さえを取付、取外すために回転させるためのフロアパネル取付用パネル押さえのための回転工具を提供することにある。
【課題を解決するための手段】
【００１１】
前記第１の目的を達成するため、本発明にあっては次のような解決手法を採択してある。すなわち、特許請求の範囲における請求項１に記載のように、
基準床面上に設置した支承部材が、パネル受けと取付ねじ部とを有し、
前記パネル受け上にフロアパネルを載置した状態で、前記フロアパネルの上方から係合されるパネル押さえを取付ねじ部に対して螺合させることにより、該パネル受けとパネル押さえとによって前記フロアパネルを上下方向から挟持するようにしたフロアパネルの取付構造において、
前記パネル押さえの上面に、回転工具の突起部が係合される工具係合凹部が該パネル押さえの周方向略等間隔に複数形成され、
前記各工具係合凹部の内面形状のうち、該パネル押さえを前記取付ねじ部から緩める方向における特定内面形状が、該パネル押さえの上面に対して鈍角をなす傾斜面となるように形成されている、
ようにしてある。
上記解決手法によれば、工具係合凹部のうちパネル押さえを取付ねじ部から緩める方向における特定内面形状が、該パネル押さえの上面に対して鈍角をなす傾斜面となるように形成されていることから、専用の工具を用いない限り、すなわち例えば一般的な工具としてのラジオペンチの細い先端部を工具係合凹部に係合させてパネル押さえを取外す方向に回転させようとしても、ラジオペンチ等の先端部は、工具係合凹部の傾斜面を極めて容易に滑ってしまうと共に、パネル押さえ側からは工具係合凹部から抜け出る方向の反力を受けることになって、工具係合凹部から極めて外れてしまい易いものとなり、パネル押さえを取外し方向に回転させることが困難になる。
【００１２】
上記解決手法を前提とした好ましい態様は、特許請求の範囲における請求項２〜請求項５に記載のとおりである。
前記各工具係合凹部の形状が全体的に、略球面の一部を構成する略球面状に形成されている、ようにすることができる（請求項２対応）。この場合、工具係合凹部を、一般的な工具によるパネル押さえの回転をより確実に防止するような形状とされる。また、パネル押さえの取付方向への回転も、専用の回転工具を用いない限り不可能になる。
【００１３】
前記工具係合凹部が、全体として３個形成されている、ようにすることができる（請求項３対応）。この場合、ラジオペンチ等の一般的な工具は、その細い先端部が１８０度対角線上に一対有するが、工具係合凹部が１８０度対角線上に位置しないような設定となるので、一般的な工具によるパネル押さえの回転をより一層確実に防止する上で好ましいものとなる。
【００１４】
前記各工具係合凹部の形状が全体的に、略球面の一部を構成する略球面状に形成されており、
前記工具係合凹部が、全体として３個形成されている、
ようにすることができる（請求項４対応）。この場合、請求項２、請求項３に対応した効果を合わせて得ることができる。
【００１５】
前記パネル押さえは、前記フロアパネルに対して上方から係合されるフランジ部と、該フランジ部から下方に伸びると共に前記取付ねじ部に螺合される雌ねじ部が形成された筒部とを有し、
前記パネル押さえは、前記フランジ部よりも下方部分が該フランジ部の最大外径よりも小径となるように設定されており、
前記フロアパネルは、その角隅部に切欠部が形成されると共に、該切欠部周辺の上面が前記パネル押さえのフランジ部の厚さとほぼ同一の深さを有する凹部となるように形成されており、
前記フロアパネルの前記切欠部に対して前記パネル押さえの前記筒部が挿通されると共に、該フロアパネルの前記凹部上に前記パネル押さえの前記フランジ部が位置される、
ようにすることができる（請求項５対応）。この場合、パネル押さえとして、工具係合凹部の形状を除いて、既存のパネル押さえと同様な構造とする上で好ましいものとなる。
【００１６】
前記第２の目的を達成するため、本発明にあっては次のような解決手法を採択してある。すなわち、特許請求の範囲における請求項６に記載のように、
フランジ部と、
前記フランジ部から下方へ伸び、該フランジ部の最大径よりも小径となるように形成された筒部と、
前記筒部の内面に形成された雌ねじ部と、
前記フランジ部の上面にその周方向略等間隔に複数形成され、回転工具の突起部が係合される複数の工具係合凹部と、
を有し、
前記各工具係合凹部の形状が全体的に、略球面の一部を構成する略球面状に形成されている、
ようにしてある。上記解決手法によれば、前述した第１の目的を達成するためのフロアパネルの取付構造、特に請求項２で特定される工具係合凹部を有するパネル押さえが提供される。
【００１７】
上記解決手法を前提とした好ましい態様は、特許請求の範囲における請求項７に記載のとおりである。すなわち、
前記工具係合凹部が、全体として３個形成されている、ようにすることができる。この場合、請求項４に対応したパネル押さえが提供される。
【００１８】
前記第３の目的を達成するため、本発明にあっては次のような解決手法を採択してある。すなわち、特許請求の範囲における請求項８に記載のように、
軸部と、
前記軸部の一端部側に形成され、該軸部の軸線回りに回転操作力を与えるための操作部と、
前記軸部の他端部側に形成され、該軸部の周方向略等間隔に形成された３個の突起部とを有し、
前記各突起部の形状が全体的に、略球面の一部を構成する略球面状に形成されている、
ようにしてある。上記解決手法によれば、工具係合凹部の形状および数が請求項４に対応しているパネル押さえを回転させるための回転工具が提供される。
【発明の効果】
【００１９】
本発明のフロアパネルの取付構造によれば、工具係合凹部の形状を特定の形状にするという極めて簡単な構成によって、いたずら等によってパネル押さえが不用意に取外されてしまう事態を防止することができる。
本発明のパネル押さえによれば、上記フロアパネルの取付構造に用いるパネル押さえが提供される。
本発明の回転工具によれば、一般工具では取外し方向の回転を行わせることの困難なパネル押さえを、取付方向の回転および取外し方向の回転の両方の回転用として用いて好適な専用の回転工具が提供される。
【発明を実施するための最良の形態】
【００２０】
図１において、１は基準床面であり、この基準床面１上方の所定高さ位置に、支承部材１０を介して複数枚のフロアパネル２が配設されている。基準床面１とフロアパネル２との間の空間が、各種の配線類等が配設される配設スペース３とされる。
【００２１】
支承部材１０は、実施形態では、基板１１と、支持脚部１２と、パネル受け１３と、ロックナット１４とを有する。基板１１は、例えば鉄板等によって剛性の優れたものとして構成されて、例えば接着や、アンカボルト１５によって基準床面１に固定される。支持脚部１２は、基板１１から一体的に上方に伸びていて、例えばボルトを利用して構成されてその外周面に雄ねじ部１２ａを有している。このような支持脚部１２は、例えば溶接やかしめ等によって、基板１１に対して強固に一体化されている。
【００２２】
パネル受け１３は、鉄板等をプレス加工する等によって剛性の優れたものとして形成されて、その中央部に支持脚部１２が挿通可能な貫通孔１３ａを有している。パネル受け１３は、その中央部下面において、上記貫通孔１３ａと同心状に、ナット部材１３ｂが溶接等により固定されている。ナット部材１３ｂは、支持脚部１２の雄ねじ部１２ａに螺合されて、その螺合位置を調整することによって、パネル受け１３の基準床面１からの高さ位置が変更可能とされる。パネル受け１３の形状は、実施形態では、図２に示すように上方から見たときに略正方形となるようにされているが（４枚のフロアパネル２の各角隅部を支承可能な形状とされている）、このような形状に限定されるものではない。
【００２３】
支持脚部１２の雄ねじ部１２ａに対しては、パネル受け１３の上方から、ロックナット１４の雌ねじ部１４ａが螺合される。このロックナット１４をパネル受け１３に対して上方から締め付けることにより、パネル受け１３の基準床面１からの高さ位置が所望高さ位置にロックされることになる。ロックナット１４の上端部は、下端部よりも小径とされた筒状の突起部１４ｂとされて、突起部１４ｂの外周面に、取付ねじ部としての雄ねじ部１４ｃが形成されている。この突起部１４ｂは、ロックナット１４の軸線と同心状とされている。
【００２４】
パネル受け１３上には、ゴム等の弾性部材からなる板状の緩衝部材１６を介して、フロアパネル２の角隅部が載置（支承）される。フロアパネル２は、実施形態では、アッパパネルとロアパネルとを接合することにより中空構造とされて、上方から見たときは全体的に略正方形とされている。このフロアパネル２の角隅部には、特に図２に示されるように、切欠部２ａが形成されると共に、切欠部２ａの周囲に凹部２ｂが形成されている。切欠部２ａは、後述するパネル押さえ（の筒部）が上方から挿通するときの挿通空間（挿通孔）を確保するためのものである。また、凹部２ｂは、後述するパネル押さえ（のフランジ部）が着座されるものである。上方から見たとき、切欠部２ａは略円弧状に形成され、また凹部２ｂの外周縁部も略円弧状に形成されている。これにより、４枚のフロアパネル２同士を隣接配置したときに、上方から見たとき、４つの切欠部２ａによって略円形の挿通用空間が形成され、また４つの凹部２ｂを連ねた形状が略円環状とされる。
【００２５】
パネル受け１３上に載置されたフロアパネル２（の角隅部）は、パネル押さえ２０によって、パネル受け１３に対して上方から押しつけられて、そのがたつきが防止されるものである。パネル押さえ２０は、図４〜図７に詳細に示すように、全体的に合成樹脂による一体成形品とされて、フランジ部２１と、フランジ部２１から同心状下方へ伸びる筒部２２とを有する。筒部２２の下端部は上端部に比して若干大径とされているが、全体的には、筒部２２の外径は、フランジ部２１の最大外径よりも小径に設定されている。すなわち、複数枚のフロアパネル２を隣り合わせたとき、その切欠部２ａによって構成される挿通用空間に対して、上記筒部２２は挿通可能であるが、フランジ部２１は挿通できないような外径の設定とされている。
【００２６】
パネル押さえ２０の筒部２２の内面には、雌ねじ部２２ａが形成されている。この雌ねじ部２２ａは、前述したロックナット１４の雄ねじ部１４ｃに対して螺合されるものである。筒部２２に形成された雌ねじ部２２ａは、筒部２２の下端面から所定高さ位置よりも上方に形成されていて、雌ねじ部２２ａよりも下方に位置する筒部２２の下端部内径は、ロックナット１４の最大外径よりも若干大径となるように設定されている。
【００２７】
ロックナット１４によりパネル受け１３を締め付けている図１の状態において、フロアパネル２の切欠部２ａ部分を挿通されたパネル押さえ２０の筒部２２は、その雌ねじ部２２ａがロックナット１４の雄ねじ部１４ｃに螺合される。この螺合を進行させていくと、やがて、筒部２２がロックナット１４を全体的に覆いつつ、筒部２２の先端面がパネル受け１３の上面に当接して、それ以上の螺合の進行が防止されることになる。この状態では、パネル押さえ２０のフランジ部２１が、フロアパネル２の凹部２ｂ上に位置されて、この凹部２ｂ部分を下方へ押しつけることになる。すなわち、フロアパネル２は、パネル受け１３とパネル押さえ２０とによって、上下方向からしっかりと挟持されることになり、そのがたつきが確実に防止されることになる。パネル押さえ２０におけるフランジ部２１の厚さ（上下方向高さ）は、フロアパネル２の凹部２ｂの深さとほぼ同一とされている。これにより、図１、図３に示すフロアパネル２の取付完了状態では、フロアパネル２の上面とパネル押さえ２０の上面とがほぼ面一となって、全体的に１つの平面を構成することになる。このようなフロアパネル２やパネル押さえ２０の上には、図示を略すが、カーペットが敷かれるのが一般的である。
【００２８】
パネル押さえ２０は、フロアパネル２の取付時には所定の一方向（取付方向）に回転させる必要があり、フロアパネル２を取外して配設スペース３に配設された配線類等を保守、点検する場合には、パネル押さえ２０を上記一方向とは反対方向（取外し方向）に回転させる必要がある。パネル押さえ２０の回転のために、その上面となるフランジ部２１の上面には、複数の工具係合凹部２５が形成されている。実施形態では、工具係合凹部２５は、フランジ部２１の周方向略等間隔に合計３個形成されている（工具係合凹部２５は略１２０度間隔で配設）。また、各工具係合凹部２５は、フランジ部２１（筒部２２の雌ねじ部２２ａ）の軸線を中心として、径方向略同一半径位置に位置設定されている。
【００２９】
工具係合凹部２５の形状は全て同一形状とされていて、実施形態では、略球面の一部となる略球面状として形成されている。すなわち、工具係合凹部２５は、パネル押さえ２０の軸線方向と略平行に伸びる垂直な壁面を有しないで、その取付方向および取外し方向共に、フランジ部２１の平坦な上面に対して、後述するように鈍角をなすような傾斜面として形成されている。なお、工具係合凹部２５は、フランジ部２１の上面に開口されているのみならず、その一部がフランジ部２１の側面にも開口されているが、側面に開口させないようにすることもできる。
【００３０】
図８には、工具係合凹部２５をパネル押さえ２０の回転方向において断面した図が示される。実施形態では、工具係合凹部２５（の内面）を構成する球面状は、球面のうち直径とは離れた位置の外周面に対応した形状となるように設定されている（半球面に対応した深さよりは十分に浅くされている）。より具体的には、図９には所定直径の大きさの球体を側面から見た図（円形となる）が示されるが、直径線αに平行でかつ直径線αから径方向外方側に離れた位置の平行線βよりも径方向外方側の部分（図９でハッチングを施した部分）に対応した形状となるように、図８に示す工具係合凹部２５の凹部形状が設定されている。換言すれば、工具係合凹部２５の内面形状のうち、パネル押さえ２０の取外し方向の内面形状となる特定内面形状は、フランジ部２１の上面に対して鈍角θ１（図８参照）をなす傾斜面（円弧状の傾斜面）とされる。勿論、工具係合凹部２５の内面には、パネル押さえ２０の軸線にほぼ平行に伸びるような垂直壁面を有しない形状となっている。上記鈍角θ１は、１００度以上となるように設定するのが好ましい。
【００３１】
なお、図９において、工具係合凹部２５に対応したハッチング部分の角度θ２は、例えば１００度〜１４０度程度の範囲で設定するのが好ましい。すなわち、θ２があまり小さい角度であると（工具係合凹部２５があまり浅いと）、後述する専用の回転工具を用いてたときに回転工具を工具係合凹部２５に強く押しつけておくのに大きな力を要してしまうことになり、θ２があまり大きくなると、一般的な工具がひっかかり易くなる傾向になってしまう。工具係合凹部２５の深さをθ２の大きさで示したとき、θ２＝１８０度（丁度半球に対応した深さに相当する）に設定することも可能ではあるが、工具のひっかかりを低減させるために、θ２は、前述のように１００度〜１４０度の範囲で設定するのが好ましい。
【００３２】
いま、工具係合凹部２５に例えば先端部が細くされた一般的な工具例えばラジオペンチの先端部を挿入して、パネル押さえ２０を回転させようとしても、工具の先端部は工具係合凹部２５の内面形状に沿って極めて容易に滑って、工具係合凹部２５から容易に抜け出してしまう作用をなすため（工具係合凹部２５に挿入した工具によって取外し方向への力を与えると、工具には工具係合凹部２５から抜け出る方向（図８上方）への反力が作用するため）、一般的な工具によってはパネル押さえ２０を容易には回転できないことになる。この回転させることの困難となる回転方向は、パネル押さえ２０の取外し方向のみならず、取付方向においても同じである。
【００３３】
次に、図３，図１０〜図１４を参照しつつ、パネル押さえ２０を回転操作するための専用の治具となる回転工具３０の一例について説明する。まず、回転工具３０は、例えば鉄製の円筒状とされた軸部としての軸部材３１を有する。この軸部材３１の一端部に、軸部材３１の軸線と略直交する方向に伸ばして金属棒からなる細長い操作ロッド３２が貫通されている（特に図１１参照）。操作ロッド３２は、操作部を構成するもので、軸部材３１に対してスポット溶接等により一体化されている（溶接部分が黒塗りでかつ符号３２ａで示される）。操作ロッド３２の長手方向各端部は、軸部材３１の外周面よりもさらにその径方向外方側に長く伸びていて、作業者が操作ロッド３２を手指で把持して回転操作することにより、軸部材３１がその軸線回りに回転される。
【００３４】
軸部材３１の他端部には、円形とされた例えば鉄製の金属板からなるフランジ部材３３が、例えばスポット溶接等により一体化されている（溶接部分が黒塗りで示され、かつ符号３３ａで示される）。フランジ部材３３は、軸部材３１の軸線に対して直交するように軸部材３１に対して固定されており、フランジ部材３３の中心と軸部材３１の軸線とが一致するように位置設定されている。
【００３５】
フランジ部材３３には、前述した工具係合凹部２５に係合（嵌合）される３つの突起部４０が構成されている。この突起部４０は、フランジ部材３３のうち、操作ロッド３２とは反対側の面から突出されている。３つの各突起部４０の形状および位置等は、３つの工具係合凹部２５の形状および位置と合致するように設定されている。すなわち、突起部４０の形状は、略球面の一部を構成する略球面状として形成されている。
【００３６】
ここで、上記突起部４０は、その形成を容易かつ安価に行う等の観点から、頭部を有する金属製（例えば鉄製）のねじ部材４１を利用して構成されている。すなわち、例えばねじ部材４１として、頭部４２と、頭部４２から伸びる軸状のねじ部４３（雄ねじ部）とを有するものが用いられ、頭部４２の表面には、プラスドライバが係合される十字形の係合凹部４２ａを有する（係合凹部４２ａの形状は、マイナスドライバに対応した形状であってもよい）。このようなねじ部材４１のねじ部４３を、フランジ部材３３に形成された取付孔３３ｂに挿入して、スポット溶接等によりねじ部材４１がフランジ部材３３に一体化される（溶接部分が黒塗りで示されかつ符号４３ａで示される）。この後、軸部材３１を中心にしてフランジ部材３３を回転させつつ、頭部４２の径方向外方側の一部を削り加工することにより、工具係合凹部２５の形状に対応した形状の突起部４０とされる（図１２、図１４の一部の突起部４０（頭部４２）に、削り加工される直前の頭部４２の形状が示され、削り加工される部分が細かいドットでかつ符号４２ｂで示される）。
【００３７】
回転工具３０を使用してパネル押さえ２０の回転操作を行うには、パネル押さえ２０の工具係合凹部２５に対して、回転工具３０の突起部４０を係合（嵌合）させた状態で、操作ロッド３２を利用して回転工具３０を全体的に回転操作すればよい。このとき、回転操作の反力として、突起部４０が工具係合凹部２５から抜け出る方向の反力を受けることになる。したがって、突起部４０が工具係合凹部２５に確実に係合される状態を確保するように、回転工具３０をパネル押さえ２０に押しつける方向の外力を与えつつ、上記回転操作を行なうことになる。突起部４０を金属製としておくことにより、パネル押さえ２０を多数個回転操作しても、突起部４０がすり減ることもなく、耐久性確保の上で好ましいものとなる。
【００３８】
図１５〜図１７は、それぞれ工具係合凹部２５の別の形状設定例を示すものであり、図８に対応した断面図とされている。なお、回転工具３０の突起部４０は、図１５〜図１７の工具係合凹部２５の形状に対応した形状に変更される（隙間無く嵌合されるような形状）。
【００３９】
図１５の例では、図８の工具係合凹部２５に対応する工具係合凹部２５Ｂが、その底面のみがフランジ部２１の上面と平行な平坦面とされ、その他は図８の工具係合凹部２５と同様である。図１５の例でも、取付方向および取外し方向のそれぞれについて、一般的な工具ではパネル押さえ２０を回転させることが極めて困難である。
【００４０】
図１６の例では、図８の工具係合凹部２５に対応する工具係合凹部２５Ｃの形状が、回転方向中心位置を境にしてそれぞれ直線状に伸びるようにされて、全体的にＶ字形状とされている。図１６の例でも、取付方向および取外し方向のそれぞれについて、一般的な工具ではパネル押さえ２０を回転させることが極めて困難である。
【００４１】
図１７の例では、図８の工具係合凹部２５に対応する工具係合凹部２５Ｄの形状が、全体的に略Ｖ字形状とされているものの、取付方向においてはパネル押さえ２０の軸線方向に略垂直に伸びる垂直壁とされ、取外し方向の形状のみが直線状の傾斜面とされている。図１７の例では、取外し方向については一般的な工具ではパネル押さえ２０を回転させることが極めて困難なように設定しつつ、取付方向の回転操作に際しては回転工具からの回転力が効果的にパネル押さえ２０に伝達される設定とされている。
【００４２】
以上実施形態について説明したが、本発明は、実施形態に限定されるものではなく、特許請求の範囲の記載された範囲において適宜の変更が可能であり、例えば次のような場合をも含むものである。パネル押さえ２０を、ロックナット１４ではなくて、支持脚部１２（の雄ねじ部１２ａ）に直接螺合させるように設定してもよい。パネル押さえ２０側のねじ部を雄ねじ部とする一方、この雄ねじ部が螺合される支承部材１０側のねじ部を雌ねじ部とするようにしてもよい。ロックナット１４を別途有しないものであってもよい。工具係合凹部２５の形状は、実施形態で示す他に、適宜の形状に設定することが可能である。突起部４０は、フランジ部材３３と一体成形することもできる（例えば合成樹脂の場合は射出成形、金属の場合は鋳造等）。
【００４３】
工具係合凹部２５（２５Ｂ〜２５Ｄも同じ）の数は適宜設定、例えば合計で２個、４個、５個、６個あるいはそれ以上の数に設定することも可能である。ただし、工具係合凹部２５は、パネル押さえ２０のフランジ部２１の周方向略等間隔に配置されることを勘案して、その中心を挟んで対角線上に一対の工具係合凹部２５が位置しないような数に設定すること、つまりラジオペンチ等の一般的な工具の一対の先端部の両方が同時に工具係合凹部２５そのものに係合できないような数にするのが好ましく、例えば３個、５個のように奇数個の数に設定するのが好ましい。とりわけ、工具係合凹部２５の数を極力少なくするという観点をも加味して、工具係合凹部２５を合計３個に設定するのが好ましい。勿論、本発明の目的は、明記されたものに限らず、実質的に好ましいあるいは利点として表現されたものを提供することをも暗黙的に含むものである。
【図面の簡単な説明】
【００４４】
【図１】本発明の一実施形態を示す側面断面図。
【図２】図１の分解斜視図。
【図３】図１の取付完了状態に対応した斜視図。
【図４】パネル押さえをそのフランジ部側から見た図。
【図５】図４のＸ５−Ｘ５線相当断面図。
【図６】図４のＸ６−Ｘ６線相当断面図。
【図７】図４のＸ７方向矢視図。
【図８】工具係合凹部をパネル押さえの回転方向に断面して示す図。
【図９】図８の工具係合凹部の形状設定を説明するための説明図。
【図１０】回転工具の一例を示す側面図。
【図１１】図１０のＸ１１−Ｘ１１線相当断面図。
【図１２】図１４のＸ１２−Ｘ１２線相当断面図。
【図１３】図１０のＸ１３−Ｘ１３線相当断面図。
【図１４】図１０のＸ１４方向矢視図。
【図１５】工具係合凹部の変形例を示すもので、図８に対応した断面図。
【図１６】工具係合凹部の変形例を示すもので、図８に対応した断面図。
【図１７】工具係合凹部の変形例を示すもので、図８に対応した断面図。
【符号の説明】
【００４５】
１：基準床面
２：フロアパネル
２ａ：切欠部
２ｂ：凹部
３：配設スペース
１０：支承部材
１１：基板
１２：支持脚部
１２ａ：雄ねじ部
１３：パネル受け
１３ａ：貫通孔
１３ｂ：ナット部材
１４：ロックナット
１４ｃ：雄ねじ部（取付ねじ部）
２０：パネル押さえ
２１：フランジ部
２２：筒部
２２ａ：雌ねじ部
２５：工具係合凹部
２５Ｂ：工具係合凹部（図１５）
２５Ｃ：工具係合凹部（図１６）
２５Ｄ：工具係合凹部（図１７）
３０：回転工具
３１：軸部材
３２：操作ロッド
３３：フランジ部材
４０：突起部
４１：ねじ部材
４２：頭部
４３：ねじ部
【図１５】
2005344398.tif 000003
【図１６】
2005344398.tif 000004
【図１７】
2005344398.tif 000005
【図１】
2005344398.tif 000006
【図２】
2005344398.tif 000007
【図３】
2005344398.tif 000008
【図４】
2005344398.tif 000009
【図５】
2005344398.tif 000010
【図６】
2005344398.tif 000011
【図７】
2005344398.tif 000012
【図８】
2005344398.tif 000013
【図９】
2005344398.tif 000014
【図１０】
2005344398.tif 000015
【図１１】
2005344398.tif 000016
【図１２】
2005344398.tif 000017
【図１３】
2005344398.tif 000018
【図１４】
2005344398.tif 000019